(57)【特許請求の範囲】
【請求項１】
活性エネルギー線を照射するエネルギー線源と、前記活性エネルギー線で硬化するインクを吐出する記録ヘッドとを支持し、印字領域を往復移動可能に構成したキャリッジと、
前記印字領域よりも外側に配置された、前記記録ヘッドの回復処理を行うべく吸引手段を有するメンテナンスユニットと、
前記キャリッジの移動方向でみて前記印字領域と前記メンテナンスユニットとの間に配置され、前記メンテナンスユニットの前記吸引手段により吸引された前記記録ヘッドからの廃インクを収容する廃インク容器と、
を有するインクジェット記録装置であって、
前記エネルギー線源は前記印字領域外にキャリッジが位置している状態でみたときに前記記録ヘッドに対し前記印字領域側に配置されるように前記キャリッジに支持されており、前記エネルギー線源が前記キャリッジの移動により印字領域外の前記廃インク容器に対向する位置で前記廃インク容器に収容された廃インクに活性エネルギー線が照射される事を特徴とするインクジェット記録装置。
【請求項２】
前記エネルギー線源から前記廃インク容器に収容された廃インクに活性エネルギー線が照射される際、前記記録ヘッドは前記メンテナンスユニットに対向して配置されている事を特徴とする請求項１に記載のインクジェット記録装置。
【請求項３】
前記廃インク容器には、対向して配置された前記記録ヘッドからのフラッシングにより吐出されたインクが流下して回収されることを特徴とする請求項１又は２に記載のインクジェット記録装置。
【請求項４】
前記エネルギー線源は紫外線を発生することを特徴とする請求項１〜３のいずれか１項に記載のインクジェット記録装置。
【請求項５】
活性エネルギー線の照射によりゲル状に硬化するインクを用いて画像を記録することを特徴とする請求項１〜４のいずれか１項に記載のインクジェット記録装置。
【発明の詳細な説明】
【技術分野】
【０００１】
本発明は、記録紙、記録布等の記録媒体にインクを吐出して記録を行うインクジェット記録装置に関する。
【背景技術】
【０００２】
インクジェット記録装置は、周知のように紙、布、プラスチックシート等の平面記録媒体や立体記録媒体にインク滴を吐出して画像を形成する記録装置である。
【０００３】
インクジェット記録装置は一般に、画像形成のためにインクを吐出する他に、主としてインクを吐出するノズルの機能を維持するメンテナンスのためにインクを消費するように構成されているが、メンテナンスのために消費されるインクは、廃インクとして処理される。
【０００４】
廃インクの処理に関しては、次のような様々な工夫がある。
【０００５】
特許文献１、２では廃インクを加熱して蒸発させることが提案されている。
【０００６】
特許文献３、４では、廃液タンク内に液吸収体を設けることが提案されている。
【０００７】
特許文献５にはインクを固化させる処理液を吐出する吐出部を設けて、インクを固化させることが提案されている。
【特許文献１】特開平１−２０４５４号公報
【特許文献２】特開平１−２０４５５号公報
【特許文献３】特開平４−１３５８６５号公報
【特許文献４】特開平４−３４４２５６号公報
【特許文献５】特開平８−２８１９７２号公報
【発明の開示】
【発明が解決しようとする課題】
【０００８】
特許文献１、２の廃インク処理では、記録装置内の温度が上昇し、記録インクを変質させる可能性があるという問題や蒸発時に発生する臭気の問題がある。
【０００９】
特許文献３、４の廃インク処理では、液体の廃インクが記録装置内に貯留されるために、廃インクが漏れ出る可能性があるという問題がある。特に、廃インク容器に圧力がかかった場合や、記録装置が転倒した場合にインク漏れが生ずる。
【００１０】
また、廃インクを吸収した吸収体は廃棄物処理されるが、固体と液体からなる複合体の廃棄物処理となるために、処理工程が複雑になるという問題がある。
【００１１】
特許文献５の廃インク処理では、廃インク処理のためのインク吐出機構が付加されることになるために構造が複雑になり、また、廃インク処理用の資材が必要となるために、製造コスト、ランニングコストが高くなるという問題がある。
【００１２】
本発明は、従来の廃インク処理における前記に説明したような問題を解決し、簡単な機構で処理が可能な廃インク処理手段を備えたインクジェット記録装置を提供することを目的とする。
【課題を解決するための手段】
【００１３】
本発明は、紫外線等の活性エネルギー線により硬化するインクの特徴を利用し、廃インクを硬化させて廃インク容器に収容することにより、簡単な廃インクの処理を可能にしたものであり、下記の何れかのインクジェット記録装置により前記目的が達成される。
１．
活性エネルギー線を照射するエネルギー線源と、前記活性エネルギー線で硬化するインクを吐出する記録ヘッドとを支持し、印字領域を往復移動可能に構成したキャリッジと、
前記印字領域よりも外側に配置された、前記記録ヘッドの回復処理を行うべく吸引手段を有するメンテナンスユニットと、
前記キャリッジの移動方向でみて前記印字領域と前記メンテナンスユニットとの間に配置され、前記メンテナンスユニットの前記吸引手段により吸引された前記記録ヘッドからの廃インクを収容する廃インク容器と、
を有するインクジェット記録装置であって、
前記エネルギー線源は前記印字領域外にキャリッジが位置している状態でみたときに前記記録ヘッドに対し前記印字領域側に配置されるように前記キャリッジに支持されており、前記エネルギー線源が前記キャリッジの移動により印字領域外の前記廃インク容器に対向する位置で前記廃インク容器に収容された廃インクに活性エネルギー線が照射される事を特徴とするインクジェット記録装置。
２．
前記エネルギー線源から前記廃インク容器に収容された廃インクに活性エネルギー線が照射される際、前記記録ヘッドは前記メンテナンスユニットに対向して配置されている事を特徴とする請求項１に記載のインクジェット記録装置。
３．
前記廃インク容器には、対向して配置された前記記録ヘッドからのフラッシングにより吐出されたインクが流下して回収されることを特徴とする請求項１又は２に記載のインクジェット記録装置。
４．
前記エネルギー線源は紫外線を発生することを特徴とする請求項１〜３のいずれか１項に記載のインクジェット記録装置。
５．
活性エネルギー線の照射によりゲル状に硬化するインクを用いて画像を記録することを特徴とする請求項１〜４のいずれか１項に記載のインクジェット記録装置。
【発明の効果】
【００１４】
本発明により、廃インクを活性エネルギー線で硬化させて、廃インク容器に収容するので、廃インク容器内のインクが漏れ出るおそれがなく、また、廃インクを廃棄物として処理する際にも、固体の処理であるので、運搬、貯蔵等の取り扱いに適しており、廃棄物処理が容易になる。
【発明を実施するための最良の形態】
【００１５】
以下、実施の形態により本発明を説明するが、本発明は該実施の形態に限られない。
【００１６】
図１は本発明の実施の形態に係るインクジェット記録装置の全体構成を示す図である。
【００１７】
１は記録用インクの供給源であるインクタンクであり、イエローインクタンク１Ｙ、マゼンタインクタンク１Ｍ、シアンインクタンク１Ｃ及び黒インクタンク１Ｋで構成される。２はインク滴を吐出して画像を形成するノズルを有する記録ヘッドであり、イエロー記録ヘッド２Ｙ、マゼンタ記録ヘッド２Ｍ、シアン記録ヘッド２Ｃ及び黒記録ヘッド２Ｋで構成される。３は、活性エネルギー線である紫外線を発光するエネルギー線源である。
【００１８】
４はキャリッジであり、キャリッジ４は記録ヘッド２及びエネルギー線源３を一体に搭載しており、キャリッジガイド５により案内されて矢印ＷＸ１、ＷＸ２で示すように往復移動して、記録媒体Ｐを走査し、記録媒体Ｐに画像を形成する。
【００１９】
６は電磁弁であり、イエロー用電磁弁６Ｙ、マゼンタ用電磁弁６Ｍ、シアン用電磁弁６Ｃ及び黒用電磁弁６Ｋで構成される。７は中間タンクであり、イエロー用中間タンク７Ｙ、マゼンタ用中間タンク７Ｍ、シアン用中間タンク７Ｃ及び黒用中間タンク７Ｋで構成される。
【００２０】
記録用インクはインクタンク１から中間タンク７に送られ、中間タンク７からインク供給路８を経て記録ヘッド２に供給される。インク供給路８はイエローインク用、マゼンタインク用、シアンインク用及び黒インク用の供給路で構成されており、各単色インクはそれぞれ独立して、インクタンク１からインク供給路８を経て記録ヘッド２に供給される。
【００２１】
１０は記録ヘッド２の回復処理を行うメンテナンスユニットであり、記録ヘッド２をキャッピングする吸引キャップ９を有する。
【００２２】
エネルギー線源３は図１に示すように、キャリッジ４がメンテナンスユニット１０に対向する印字領域外の位置、例えば、端位置にあるときに、記録ヘッド２に対して、記録ヘッド２よりも印字領域側に位置するようにキャリッジ４に設けられる。このようなエネルギー線源３の配置により、印字領域から端位置までのキャリッジ４の移動の際に、エネルギー線源４を連続点灯して、記録媒体Ｐ上のインクの硬化とともに、廃インク容器１２内の廃インクの硬化を行うことが可能となる（インクの硬化については後に説明）。
【００２３】
吸引キャップ９はイエロー記録ヘッド２Ｙをキャッピングする吸引キャップ９Ｙ、マゼンタ記録ヘッド２Ｍをキャッピングする吸引キャップ９Ｍ、シアン記録ヘッド２Ｃをキャッピングする吸引キャップ９Ｃ及び黒記録ヘッド２Ｋをキャッピングする吸引キャップ９Ｋで構成される。
【００２４】
１２は廃インクを収容する廃インク容器であり、フラッシングにおいて、記録ヘッド２から強制吐出されたインクを受け、収容する。廃インク容器１２の上方は、廃インクを受けることが可能なように開口１２Ａ（図３参照）が形成される。また、開口１２Ａを通して廃インク容器１２内に紫外線が導入される。廃インク容器１２は着脱自在に装着される。
【００２５】
１３はエネルギー線源３からの紫外線を廃インク容器１２内に導入する光ガイドであり、紫外線に対して不透明な板で構成され、筒状に形成されて紫外線が外部に漏れるのを防止する。光ガイド１３によって、廃インク容器１２の近傍のインクを不要に固化するのを防止している。
【００２６】
図２はインクの流れを示す図、図３はキャリッジ４がメンテナンスユニット１０に対向する端位置にあるときの記録ヘッド２と、エネルギー線源３と、吸引キャップ９と、廃インク容器１２との位置関係を示す図である。
【００２７】
インクタンク１内の記録用インクは電磁弁６を介して中間タンク７に供給される。中間タンク７にはインク量センサ１４が設けられ、電磁弁６はインク量センサ１４の検知信号に基き開閉動作して、中間タンク７内のインク量を常に一定に維持する。
【００２８】
中間タンク７と記録ヘッド２との間にはダンパー１５が介在しており、このダンパー１５により、キャリッジ４の移動により生ずる記録ヘッド２内のインク圧の変動を緩和する。
【００２９】
フラッシング時に記録ヘッド２から吐出された廃インク及び回復処理時に記録ヘッド２から吸引された廃インクは廃インク容器１２に収容される。
【００３０】
１６は吸引キャップ９が記録ヘッド２に密着・離間する際に起こる吸引キャップ９内の圧力変動を緩和する電磁弁である。吸引ポンプ１７は図３に示すように、イエロー用吸引ポンプ１７Ｙ、マゼンタ用吸引ポンプ１７Ｍ、シアン用吸引ポンプ１７Ｃ及び黒用吸引ポンプ１７Ｋで構成され、各単色インク毎に独立して作動するが、これらの吸引ポンプ１７Ｙ、１７Ｍ、１７Ｃ、１７Ｋにより吸引されたインクは共通の廃インク容器１２に収容される。
【００３１】
本発明においては、紫外線等の活性エネルギー線で照射されて硬化するインクが使用される。このようなインクには、米国特許第４，２２８，４３８号明細書、特公平５−６４６６７号公報、特開平７−２２４２４１号公報等に記載された周知のものを用いることが出来る。
【００３２】
また、本出願人の出願にかかる特願２００５−２１１１３５号明細書に記載されており、活性エネルギー線によりゲル状に硬化するインクを使用することができる。
【００３３】
ゲル状に硬化するインクとしては、少なくとも色剤と、水と、親水性主鎖に複数の側鎖を有し、活性エネルギー線を照射することにより、側鎖間で架橋結合可能な高分子化合物と、を含有するインクジェット用インクであって、前記色剤がアニオン性であり、かつ前記高分子化合物の側鎖がアニオン性、又はノニオン性であることを特徴とするインクジェット用インクが用いられる。
【００３４】
親水性主鎖に複数の側鎖を有し、活性エネルギー線を照射することにより側鎖間で架橋結合可能な高分子化合物とは、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記親水性樹脂の誘導体、ならびにこれらの共重合体からなる群より選ばれる少なくとも一種の親水性樹脂に対して、側鎖に光二量化型、光分解型、光重合型、光変性型、光解重合型等の変性基を導入したものである。光重合型の架橋性基が感度、生成される画像の性能の観点から望ましい。
【００３５】
色材のイオン性と前記高分子化合物の側鎖のイオン性の間には、好ましい組合せが存在する。色材にアニオン性を選択し、側鎖にはノニオン性またはアニオン性を組み合わせることで、画像堅牢性およびインクの保存性、連続出射性の観点で優れていることがわかった。側鎖としてはノニオン性が最も好ましい。理由は定かではないが、上記イオンの組合せの場合は、インク組成物の分解やインク組成物同士の会合などが少なくなり、このことが、上記効果に影響している可能性がある。
【００３６】
側鎖としては、前記一般式（Ａ）で表される構造を有するものが好ましい。
【００３７】
活性エネルギー線架橋性高分子化合物の親水性主鎖と側鎖の部分構造が下記一般式（Ａ）で表されるものが好ましい。
【００３８】
一般式（Ａ）
Ｐｏｌｙ−｛（Ｘ1）m−〔Ｂ−（Ｙ1）n〕p｝
式中、Ｐｏｌｙは親水性主鎖を表す。ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、または前記親水性樹脂の誘導体、ならびにこれらの共重合体が好ましい。
【００３９】
｛    ｝は側鎖を表す。側鎖中、Ｘ1は（ｐ＋１）価の連結基を表わす。ｐは正の整数を表し、好ましくは１〜５の整数である。具体的には、ｐ＝１のとき、Ｘ1が２価の連結基を表し、例えば、アルキレン基、アリーレン基、ヘテロアリーレン基、エーテル基、チオエーテル基、イミノ基、エステル基、アミド基、スルホニル基などが挙げられ、又、これらが組み合わさって一つの２価以上の基を形成してもよい。またｐ＝２以上のとき、後述する複数のＢ及びＹ1は同一であっても異なっていてもよい。
【００４０】
Ｘ1は、好ましくは、アルキレンオキシド、芳香族基が少なくとも組み合わさっている２価以上の連結基が挙げられる。
【００４１】
Ｂは、架橋基を表す。具体的には、二重結合、三重結合を含有する基であり、例えば、アクリル基、メタクリル基、ビニル基、アリル基、ジアゾ基、アジド基を表す。好ましくは、アクリル基、メタクリル基である。
【００４２】
Ｙ1は、水素原子または置換基を表す。置換基とは具体的にはハロゲン原子（例えば、フッ素原子、塩素原子等）、アルキル基（例えば、メチル、エチル、ブチル、ペンジル、２−メトキシエチル、トリフルオロメチル、２−エチルヘキシル、シクロヘキシル等）、アリール基（例えば、フェニル、ｐ−トリル、ナフチル等）、アシル基（例えば、アセチル、プロピオニル、ベンゾイル等）、アルコキシ基（例えば、メトキシ、エトキシ、ブトキシ等）、アルコキシカルボニル基（例えば、メトキシカルボニル、ｉ−プロポキシカルボニル等）、アシルオキシ基（例えば、アセチルオキシ、エチルカルボニルオキシ等）、カルバモイル基（例えば、メチルカルバモイル、エチルカルバモイル、ブチルカルバモイル、フェニルカルバモイル等）、スルファモイル基（例えば、スルファモイル、メチルスルファモイル、ジメチルスルファモイル、フェニルスルファモイル等）、アルキルチオ基（例えば、メチルチオ、エチルチオ、オクチルチオ等）、アリールチオ基（例えば、フェニルチオ、ｐ−トリルチオ等）、アルキルウレイド基（例えば、メチルウレイド、エチルウレイド、メトキシエチルウレイド、ジメチルウレイド等）、アリールウレイド基（例えば、フェニルウレイド等）、アルキルスルホンアミド基（例えば、メタンスルホンアミド、エタンスルホンアミド、ブタンスルホンアミド、トリフルオロメチルスルホンアミド、２，２，２−トリフルオロエチルスルホンアミド等）、アリールスルホンアミド基（例えば、フェニルスルホンアミド、トリルスルホンアミド等）、アルキルアミノスルホニルアミノ基（例えば、メチルアミノスルホニルアミノ、エチルアミノスルホニルアミノ等）、アリールアミノスルホニルアミノ基（例えば、フェニルアミノスルホニルアミノ等）、ヒドロキシ基、複素環基（例えば、ピリジル、ピラゾリル、イミダゾリル、フリル、チエニル等）などが挙げられ、更にこれらは置換基を有していても良い。
【００４３】
ｍは、０または１を表す。
【００４４】
ｎは、０または１を表す。
【００４５】
親水性主鎖においては、側鎖の導入に対する簡便性や、取り扱いの観点からポリ酢酸ビニルのケン化物が好ましく、その重合度は３００以上４０００以下が好ましく、５００以上２０００以下がハンドリングの観点からより好ましい。主鎖に対する側鎖の変性率は０．３モル％以上４モル％以下が好ましく０．５モル％以上１．５モル％以下が反応性の観点からより好ましい。０．３モル％より小さいと架橋性が不足する傾向があり、４モル％より大きいと架橋密度が大きくなり硬くてもろい膜となり、膜の強度が落ちてしまう。
【００４６】
活性エネルギー線架橋性高分子化合物において、さらに好ましい構造としては、特開昭５６−６７３０９号公報記載の感光性樹脂は、ポリビニルアルコール構造体中に、下記一般式（１）で表される２−アジド−５−ニトロフェニルカルボニルオキシエチレン構造（ノニオン性）の側鎖、又は、下記一般式（２）で表され４−アジド−３−ニトロフェニルカルボニルオキシエチレン構造（ノニオン性）の側鎖、を有する樹脂組成物である。
【００４７】
【化１】
0004788295.tif 000002
【００４８】
また、下記一般式（３）で表される変性基（アニオン性）の側鎖も好ましく用いられる。
【００４９】
【化２】
0004788295.tif 000003
【００５０】
式中、Ｒはアルキレン基又は芳香族環を表す。好ましくはベンゼン環である。
【００５１】
光重合型の変性基としては、例えば特開２０００−１８１０６２号、特開２００４−１８９８４１号に示される下記一般式（４）で表される樹脂（ノニオン性）が反応性の観点から好ましい。
【００５２】
【化３】
0004788295.tif 000004
【００５３】
式中、Ｒ2はＭｅ又はＨ、ｎは１又は２を表し、Ｘは−（ＣＨ2）m−ＣＯＯ−又は−Ｏ−、Ｙは芳香族環又は単結合、ｍは０〜６までの整数を表す。
【００５４】
また、特開２００４−１６１９４２号公報に記載されている光線重合型の下記一般式（５）で表される変性基（ノニオン性）を、従来公知の水溶性樹脂に用いることも好ましい。
【００５５】
【化４】
0004788295.tif 000005
【００５６】
式中、Ｒ3はＭｅ又はＨを表し、Ｒ4は炭素数２〜１０の直鎖状または分岐状のアルキレン基を表す。
【００５７】
更に、下記一般式（６）乃至（８）で表される変性基（ノニオン性）も好ましく用いられる。
【００５８】
【化５】
0004788295.tif 000006
【００５９】
このような光架橋型の樹脂は、インク全質量に対して０．８質量％から５．０質量％含有することが、好ましい。０．８質量％以上存在することで、架橋効率が向上し、架橋後のインク粘度の急激な上昇によりビーディングやカラーブリードがより好ましくなる。５．０質量％以下の場合は、インク物性やインクヘッド内状態に悪影響しにくくなり、出射性やインク保存性の観点で好ましい。
【００６０】
光架橋型の樹脂においては、元々ある程度の重合度をもった主鎖に対して側鎖間で架橋結合を介して架橋をするため、一般的な連鎖反応を介して重合する活性エネルギー線硬化型の樹脂に対して光子一つ当たりの分子量増加効果が著しく大きい。一方、従来公知の活性エネルギー線硬化型の樹脂においては架橋点の数は制御不可能であるため硬化後の膜の物性をコントロールすることができず、硬くてもろい膜となりやすい。
【００６１】
活性エネルギー線架橋型の樹脂においては架橋点の数は親水性主鎖の長さと、側鎖の導入量で完全に制御でき、目的に応じたインク膜の物性制御が可能である。
【００６２】
さらに、従来公知の活性エネルギー線硬化型インクが色剤以外のほぼ全量が硬化性分であり、そのため硬化後のドットが盛り上がり、エネルギー線沢に代表される画質に劣ることに対し、本発明に用いられる樹脂においては必要量が少量ですみ、乾燥成分が多いため乾燥後の画質の向上が図られ、かつ定着性も良い。
【００６３】
（光重合開始剤、増感剤）
また、光重合開始剤や増感剤を添加するのも好ましい。これらの化合物は溶媒に溶解、または分散した状態か、もしくは感光性樹脂に対して化学的に結合されていてもよい。
【００６４】
適用される光重合開始剤、光増感剤について特に制限はなく、従来公知の物を用いることができる。
【００６５】
適用される光重合開始剤、光増感剤について特に制限はないが、水溶性の物が混合性、反応効率の観点から好ましい。特に４−（２−ヒドロキシエトキシ）フェニル−（２−ヒドロキシ−２−プロピル）ケトン（ＨＭＰＫ）、チオキサントンアンモニウム塩（ＱＴＸ）、ベンゾフェノンアンモニウム塩（ＡＢＱ）が水系溶媒への混合性という観点で好ましい。
【００６６】
さらに、樹脂との相溶性の観点から下記一般式（９）で表される４−（２−ヒドロキシエトキシ）フェニル−（２−ヒドロキシ−２−プロピル）ケトン（ｎ＝１、ＨＭＰＫ）や、そのエチレンオキシド付加物（ｎ＝２〜５）がより好ましい。
【００６７】
【化６】
0004788295.tif 000007
【００６８】
式中、ｎは１〜５の整数を表す。
【００６９】
また、他には一例としベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等のベンゾフェノン類。チオキサトン、２、４−ジエチルチオキサントン、イソプロピルチオキサントン、クロロチオキサントン、イソプロポキシクロロチオキサントン等のチオキサントン類。エチルアントラキノン、ベンズアントラキノン、アミノアントラキノン、クロロアントラキノン等のアントラキノン類。アセトフェノン類。ベンゾインメチルエーテル等のベンゾインエーテル類。２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等ベンゾイン類、９−フェニルアクリジン、１，７−ビス（９，９′−アクリジニル）ヘプタン等のアクリジン誘導体、ビスアシルフォスフィンオキサイド、及びこれらの混合物等が好ましく用いられ、上記は単独で使用しても混合して使用してもかまわない。
【００７０】
これらの光重合開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等があげられる。
【００７１】
これらの光重合開始剤は親水性主鎖に対して、側鎖にグラフト化されていても好ましい。
【００７２】
次に、前記に説明した構成のインクジェット記録装置の動作を説明する。
【００７３】
キャリッジ４のＷＸ１方向の移動により、記録媒体Ｐを主走査し、記録媒体ＰをＷＹ方向に搬送することにより副走査が行われて、記録媒体Ｐ上に画像が形成される。なお、画像記録においては、エネルギー線源３は常時点灯しており、記録ヘッド２から吐出されたインクは記録媒体Ｐに着弾後、直ちに硬化する。
【００７４】
キャリッジ４は各主走査毎に、記録媒体Ｐに対向する位置をカバーする印字領域を移動するが、キャリッジ４が印字領域外の位置に移動して、各記録ヘッド２Ｙ、２Ｍ、２Ｃ、２Ｋが廃インク容器１２の真上に来た時に、記録ヘッド２からインクを強制吐出するフラッシングが行われる。各記録ヘッド２Ｙ、２Ｍ、２Ｃ、２Ｋから吐出されたインクは廃インク容器１２に流下し回収される。
【００７５】
フラッシングの後に、キャリッジ４はメンテナンスユニット１０に対向する印字領域外の位置、例えば、端位置に更に移動する。図３はキャリッジ４がメンテナンスユニット１０に対向する端位置に移動した時の位置関係を示すが、図３に示すように、エネルギー線源３が廃インク容器１２を照射する位置にキャリッジ４の位置が設定される。図３の状態で、エネルギー線源３を発光させ、廃インク容器１２に排出された廃インクを紫外線照射することにより、廃インクを硬化させる。
【００７６】
フラッシング及びフラッシング後の廃インクの紫外線照射はキャリッジ４の１往復毎に行われる。従って、排出された廃インクは固化した状態で廃インク容器１２内に収容される。
【００７７】
なお、フラッシングは、キャリッジ４の往復作動毎ではなく、所定回数の往復作動毎に行ってもよい。また、各フラッシング毎にエネルギー線源３を発光させ、紫外線照射をするのではなく、所定回数のフラッシング毎に紫外線照射するようにしてもよい。
【００７８】
記録ヘッド２に吐出不良が生じた場合には、キャリッジ４はメンテナンスユニット１０に対向する位置に設定され、吸引キャップ９が記録ヘッド２をキャッピングした状態で吸引ポンプ１７が作動して、吸引を行う回復処理が行われる。吸引された廃インクは廃インク容器１２に回収される。
【００７９】
この回復処理の後にも、エネルギー線源３が点灯して廃インク容器１２を紫外線照射し、廃インク容器１２に排出された廃インクを固化する。
【００８０】
回復処理は、吐出不良が生じた場合の他に、オペレータの操作により又は定期的に実行される記録ヘッドのクリーニング時にも行われる。
【図面の簡単な説明】
【００８１】
【図１】本発明の実施の形態に係るインクジェット記録装置の全体構成を示す図である。
【図２】インクの流れを示す図である。
【図３】キャリッジ４がメンテナンスユニット１０に対向する位置にあるときの記録ヘッド２と、エネルギー線源３と、吸引キャップ９と、廃インク容器１２との位置関係を示す図である。
【符号の説明】
【００８２】
１  インクタンク
２  記録ヘッド
３  エネルギー線源
４  キャリッジ
１２  廃インク容器
【図１】
0004788295.tif 000008
【図２】
0004788295.tif 000009
【図３】
0004788295.tif 000010